(57)【要約】【課題】  遊技状態が徐々に格上げされていく遊技形態を作りだし、遊技がより多くの利益を付与する方向に「成長する」ような印象を遊技者に持たせる。【解決手段】  遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を実行可能な変更抽選手段(122)を有し、前記変更抽選手段(122)の決定に基づいて、特殊遊技を実行可能に形成した。【選択図】    図１
2005065862.tif 000002
【特許請求の範囲】
【請求項１】
遊技機の作動を制御すると共に、当選役に関する抽選を行うための遊技制御装置を有し、抽選の結果、所定の当選役に当選し、かつ、遊技状況が予め定められた態様になることにより入賞となる遊技機であって、
前記遊技制御装置は、通常遊技を行わせるための通常遊技制御手段と、通常遊技よりも遊技者に大きな利益を付与可能な特殊遊技を行わせるための特殊遊技制御手段を備える遊技機において、
前記特殊遊技制御手段は、
遊技者に付与可能な利益の大きさがそれぞれ異なる複数の特殊遊技を行わせることができるとともに、
遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を実行可能な変更抽選手段を有し、
前記変更抽選手段の決定に基づいて、特殊遊技を実行可能に形成されていることを特徴とする遊技機。
【請求項２】
前記変更抽選手段は、昇格に係る特殊遊技の実行回数を、抽選により決定可能に形成されていることを特徴とする請求項１記載の遊技機。
【請求項３】
前記変更抽選手段は、昇格抽選により昇格が決定した特殊遊技の開始時期を、抽選により決定可能に形成されていることを特徴とする請求項１又は２記載の遊技機。
【請求項４】
前記変更抽選手段は、決定している特殊遊技の実行回数について、上乗せ遊技を加算するための上乗せ抽選を実行可能に形成されていることを特徴とする請求項１乃至３のいずれか１項に記載の遊技機。
【請求項５】
前記変更抽選手段は、特殊遊技中に特定条件に該当した場合には、その特殊遊技を当該遊技よりも付与可能利益の少ない遊技に降格させるか否かの降格抽選を実行可能に形成されていることを特徴とする請求項１乃至４のいずれか１項に記載の遊技機。
【請求項６】
遊技機を、
当選役に関する抽選を行うための当選抽選手段、
抽選の結果、所定の当選役に当選し、かつ、遊技状況が予め定められた態様になることにより入賞として扱うための入賞手段、
通常遊技を行わせるための通常遊技制御手段、
通常遊技よりも遊技者に大きな利益を付与可能であり、遊技者に付与可能な利益の大きさが異なる複数種類の特殊遊技を行わせるための特殊遊技制御手段、
及び、通常遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を行う変更抽選手段として機能させるための遊技機用プログラム。
【請求項７】
遊技機を、
当選役に関する抽選を行うための当選抽選手段、
抽選の結果、所定の当選役に当選し、かつ、遊技状況が予め定められた態様になることにより入賞として扱うための入賞手段、
通常遊技を行わせるための通常遊技制御手段、
通常遊技よりも遊技者に大きな利益を付与可能であり、遊技者に付与可能な利益の大きさが異なる複数種類の特殊遊技を行わせるための特殊遊技制御手段、
及び、通常遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を行う変更抽選手段として機能させるための遊技機用プログラムを記録したコンピュータ読み取り可能な記録媒体。
【発明の詳細な説明】
【技術分野】
【０００１】
この発明は、遊技者に付与可能な利益の大きさが異なる複数種類の特殊遊技を行わせることができる遊技機に関するものである。
【背景技術】
【０００２】
従来より、当選役に係る抽選を行い、遊技として、通常遊技と、通常遊技とは異なる特殊遊技とを有し、特定の条件に該当する場合に特殊遊技を開始させる遊技機は知られている。この特殊遊技は、特定の当選又は抽選結果に基づいて行われるものであるが、ただ特殊遊技が行われるだけでは面白味に欠けるので、特殊遊技が開始されるまで行われていた遊技の遊技内容を、特殊遊技終了後変化させて遊技者の興味を引くような遊技機や（特許文献１参照）、遊技履歴に応じて特殊遊技を行わせ、遊技に興味を持たせるようにした遊技機などが考案されている（特許文献２参照）。
【特許文献１】特開２００３−１２６３６９号公報
【特許文献２】特開２００３−１５４０６４号公報
【発明の開示】
【発明が解決しようとする課題】
【０００３】
しかし、上記した従来の遊技機では、特殊遊技の内容やその後の遊技の内容を変化させることにより、遊技者の期待感を段階的に高めていく遊技形態を作り出すことはできなかった。
【０００４】
そこで、各請求項にそれぞれ記載された各発明は、上記した従来の技術の有する問題点に鑑みてなされたものであり、その目的とするところは、次の点にある。
【０００５】
（請求項１）
すなわち、請求項１記載の発明は、遊技中の特定条件該当を契機として、遊技状態が徐々に格上げされていく遊技形態を作りだし、遊技がより多くの利益を付与する方向に「成長する」ような印象を遊技者に持たせ、遊技を興味溢れるものにしようとするものである。
【０００６】
（請求項２）
請求項２記載の発明は、上記した請求項１記載の発明の目的に加え、次の点を目的とする。
【０００７】
すなわち、請求項２記載の発明は、特殊遊技の実行回数に多少を設け、遊技の意外性を高めようとするものである。
【０００８】
（請求項３又は４）
請求項３又は４記載の発明は、上記した請求項１又は２記載の発明の目的に加え、次の点を目的とする。
【０００９】
すなわち、請求項３又は４記載の発明は、特殊遊技に付加価値を付与可能とすることにより、遊技者の期待感を高めるようとするものである。
【００１０】
（請求項５）
請求項５記載の発明は、上記した請求項１乃至４のいずれか１項に記載の発明の目的に加え、次の点を目的とする。
【００１１】
すなわち、請求項５記載の発明は、遊技状態が格下げされる場合を設けることにより、遊技に緊張感を持たせようとするものである。
【００１２】
（請求項６又は７）
請求項６又は７記載の発明は、次の点を目的とする。
【００１３】
すなわち、請求項６又は７記載の発明は、前記請求項１乃至５記載の遊技機の目的を達成することができる遊技機用プログラムを提供し、またその遊技機用プログラムを記録したコンピュータ読み取り可能な記録媒体を提供することを目的とする。
【課題を解決するための手段】
【００１４】
各請求項にそれぞれ記載された各発明は、上記した各目的を達成するためになされたものであり、各発明の特徴点を図面に示した発明の実施の形態を用いて、以下に説明する。
【００１５】
なお、括弧内の符号は、発明の実施の形態において用いた符号を示し、本発明の技術的範囲を限定するものではない。
【００１６】
（特徴点）
（請求項１）
請求項１記載の発明は、次の点を特徴とする。
【００１７】
すなわち、請求項１記載の発明は、遊技機の作動を制御すると共に、当選役に関する抽選を行うための遊技制御装置(21)を有し、抽選の結果、所定の当選役に当選し、かつ、遊技状況が予め定められた態様になることにより入賞となる遊技機であって、前記遊技制御装置(21)は、通常遊技を行わせるための通常遊技制御手段(70)と、通常遊技よりも遊技者に大きな利益を付与可能な特殊遊技を行わせるための特殊遊技制御手段(120)を備えた遊技機に係る。
【００１８】
本発明は、抽選結果が所定の役に当選した場合に、遊技状況が予め定められた態様になることにより入賞となる遊技機であって、例えばスロットマシンなどに適している。
【００１９】
ここで、「遊技状況が予め定められた態様になる」とは、スロットマシンを例にすれば、回転リール(40)や液晶画面などの図柄表示手段に表された図柄(61)が、予め定められた態様で表示されたり、所定の配列となるように停止したりすることである。
【００２０】
前記特殊遊技制御手段(120)は、特殊遊技の決定及び開始、実行、終了を制御するためのものである。ここで、特殊遊技は、通常遊技よりも遊技者に大きな利益を付与可能な遊技である。「付与可能」としたのは、遊技者が必ず大きな利益を得ることができるとは限らないが、その可能性が通常遊技よりも大きい遊技、例えば当選抽選手段(110)の抽選結果を所定の確率で報知するアシストタイム遊技などを含む趣旨である。
【００２１】
そして、前記特殊遊技制御手段(120)は、遊技者に付与可能な利益の大きさがそれぞれ異なる複数の特殊遊技を行わせることができるとともに、遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を実行可能な変更抽選手段(122)を有し、前記変更抽選手段(122)の決定に基づいて、特殊遊技を実行可能に形成されていることを特徴とする。
【００２２】
前記特殊遊技制御手段(120)が実行可能な複数の特殊遊技は、同種の特殊遊技であって遊技者に付与可能な利益の大きさがそれぞれ異なるものである。例えば、アシストタイム遊技について、報知確率、報知頻度、報知当選役、報知方法などが異なる遊技を実行可能とすることができる。
【００２３】
前記変更抽選手段(122)は、遊技中の特定条件該当により、昇格抽選を実行可能なものであり、昇格抽選以外の抽選、例えば特殊遊技の開始時期や終了時期を決定するための抽選を実行可能であっても構わない。
【００２４】
ここで、「昇格」とは、遊技状態が、遊技者に付与可能な利益の大きさが大きくなる遊技状態に変更されることを意味し、特殊遊技からより多くの利益を付与可能な特殊遊技への変更だけでなく、通常遊技から特殊遊技への変更も「昇格」に含まれる。アシストタイム遊技を例にすれば、通常遊技から当選報知付きの遊技への変更、当選報知付き遊技から、より報知確率の高い遊技、より報知頻度の高い遊技、入賞によりより多くの払い出しがされる当選役を報知する遊技への変更が「昇格」にあたる。なお、特殊遊技間の「昇格」は、複数段階設けてもよい。
【００２５】
また、「遊技中の特定条件」とは、特定の当選又は不当選、特定の入賞、特定の抽選（当選抽選手段(110)以外の手段が行う抽選）に当選、などが挙げられる。「遊技中」には、通常遊技及び特殊遊技が含まれる。
【００２６】
（作用）
通常遊技中に、遊技状態が特定条件に該当した場合には、前記変更抽選手段(122)が昇格抽選を行う。昇格抽選に当選すると、所定の特殊遊技の実行が決定される。この特殊遊技は昇格当選を契機に開始されるものでもよいし、所定の遊技期間経過後に開始されるものでもよい。また、この特殊遊技の終了時期は、例えば「ｎゲーム」のように予め定められていてもよいし、ｎ値を抽選により決定するようにしてもよい。
【００２７】
特殊遊技実行中に、遊技状態が特定条件に該当した場合には、前記変更抽選手段(122)が昇格抽選を行う。昇格抽選に当選すると、実行中の特殊遊技よりも付与可能利益の大きい特殊遊技の実行が決定される。そして、この特殊遊技実行中に、遊技状態が特定条件に該当した場合にも、前記変更抽選手段(122)が昇格抽選を行う。昇格抽選に当選すると、実行中の特殊遊技よりもさらに付与可能利益の大きい特殊遊技の実行が決定される。このようにして、遊技状態のランクが段階的に付与可能利益の大きいものへと昇格していく。なお、特殊遊技中に特定条件に該当しなかった場合には、所定の遊技回数の特殊遊技終了により通常遊技に戻る。特殊遊技中であって、設定された遊技ランクの最上級の遊技中に「特定条件」に該当したときには、変更抽選手段(122)は昇格抽選は行わない。
【００２８】
（請求項２）
請求項２記載の発明は、上記した請求項１記載の発明の特徴点に加え、次の点を特徴とする。
【００２９】
すなわち、請求項２記載の発明は、前記変更抽選手段(122)は、昇格に係る特殊遊技の実行回数を、抽選により決定可能に形成されていることを特徴とする。
【００３０】
本発明以下請求項５までの発明は、変更抽選手段(122)の実行可能な抽選、換言すれば特殊遊技に関して決定可能な事項を限定したものである。
【００３１】
本発明において、変更抽選手段(122)が行う特殊遊技の実行回数抽選は、昇格抽選の結果、遊技の昇格が決定した場合に行われるものであってもよいし、昇格抽選と同時に行われるものであってもよい。たとえば、昇格抽選にて、０乃至ｎの中から所定の数値を抽選により決定し、その数値を昇格に係る特殊遊技の実行回数とすることができる。この場合、「０」は昇格無しとすることができる。
【００３２】
（請求項３）
請求項３記載の発明は、上記した請求項１又は２記載の発明の特徴点に加え、次の点を特徴とする。
【００３３】
すなわち、請求項３記載の発明は、前記変更抽選手段(122)は、昇格抽選により昇格が決定した特殊遊技の開始時期を、抽選により決定可能に形成されていることを特徴とする。
【００３４】
本発明は、昇格抽選の結果が昇格当選の場合に、その遊技の開始時期を抽選により決定するものである。本発明によれば、昇格当選後ｎゲーム後に特殊遊技が開始されるようにすることができる。
【００３５】
（請求項４）
請求項４記載の発明は、上記した請求項１乃至３のいずれか１項に記載の発明の特徴点に加え、次の点を特徴とする。
【００３６】
すなわち、請求項４記載の発明は、前記変更抽選手段(122)は、決定している特殊遊技の実行回数について、上乗せ遊技を加算するための上乗せ抽選を実行可能に形成されていることを特徴とする。
【００３７】
ここで、「決定している特殊遊技の実行回数」は、予め定められている回数であってもよいし、抽選により決定された回数であってもよい。上乗せ抽選は、昇格抽選と同時に行ってもよいし、遊技中の所定条件（昇格抽選の契機以外の特定条件）該当時に行うようにしてもよい。
【００３８】
本発明によれば、変更抽選手段(122)は、設定された遊技ランクの最上級の遊技中に昇格抽選の契機となる「特定条件」に該当したときには、昇格抽選の代わりに当該最上級ランクの特殊遊技に関して上乗せ抽選を行うことができる。
【００３９】
（請求項５）
請求項５記載の発明は、上記した請求項１乃至４のいずれか１項に記載の発明の特徴点に加え、次の点を特徴とする。
【００４０】
すなわち、請求項５記載の発明は、前記変更抽選手段(122)は、特殊遊技中に特定条件に該当した場合には、その特殊遊技を当該遊技よりも付与可能利益の少ない遊技に降格させるか否かの降格抽選を実行可能に形成されていることを特徴とする。
【００４１】
ここで、降格抽選には、ある特殊遊技をその一つ下のランクの特殊遊技に降格させるか否かの抽選、ある特殊遊技をその一つ以上下のランクの特殊遊技に降格させるか否かの抽選、ある特殊遊技を通常遊技に降格させるか否かの抽選が含まれる。また、降格抽選の契機となる「特定条件」は、昇格抽選の抽選契機と同一であってもよいし、異なるものであってもよい。
【００４２】
（請求項６）
請求項６記載の発明は、次の点を特徴とする。
【００４３】
すなわち、請求項６記載の発明は、遊技機を、当選役に関する抽選を行うための当選抽選手段(110)、抽選の結果、所定の当選役に当選し、かつ、遊技状況が予め定められた態様になることにより入賞として扱うための入賞手段、通常遊技を行わせるための通常遊技制御手段(70)、通常遊技よりも遊技者に大きな利益を付与可能であり、遊技者に付与可能な利益の大きさが異なる複数種類の特殊遊技を行わせるための特殊遊技制御手段(120)、及び、通常遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を行う変更抽選手段(122)として機能させるための遊技機用プログラムである。
【００４４】
ここで、遊技機としては、スロットマシンなどの現実の遊技機でもよく、液晶ディスプレイやＣＲＴなどの画像表示装置に表示させた擬似的な遊技機であってもよい。
【００４５】
また、前記入賞手段は、この遊技機用プログラムを用いて現実の遊技機を制御しようとする場合には、ホッパーユニット(65)を作動させて遊技者に対してメダル等対価の払い出しを行うように形成することができる。一方、この遊技機用プログラムを用いて業務用、家庭用のテレビゲーム機等を制御しようとする場合には、液晶ディスプレイやＣＲＴなどの画像表示装置に、入賞時にメダルの払い出しがなされるような画像や、手持ちの遊技メダル数が増加するような表示や、所定の得点が加算されるような表示を行うように形成することができる。
【００４６】
このように、本発明は、現実の遊技機を制御するためのプログラムと、業務用、家庭用のテレビゲーム機等に読み込まれることによりそれらを遊技機として機能させるためのプログラムとの双方を含むものである。
【００４７】
（作用）
本発明によれば、通常遊技中に、遊技状態が特定条件に該当した場合には、前記変更抽選手段(122)が昇格抽選を行う。昇格抽選に当選すると、所定の特殊遊技の実行が決定される。この特殊遊技は昇格当選を契機に開始されるものでもよいし、所定の遊技期間経過後に開始されるものでもよい。また、この特殊遊技の終了時期は、例えば「ｎゲーム」のように予め定められていてもよいし、ｎ値を抽選により決定するようにしてもよい。
【００４８】
特殊遊技実行中に、遊技状態が特定条件に該当した場合には、前記変更抽選手段(122)が昇格抽選を行う。昇格抽選に当選すると、実行中の特殊遊技よりも付与可能利益の大きい特殊遊技の実行が決定される。そして、この特殊遊技実行中に、遊技状態が特定条件に該当した場合にも、前記変更抽選手段(122)が昇格抽選を行う。昇格抽選に当選すると、実行中の特殊遊技よりもさらに付与可能利益の大きい特殊遊技の実行が決定される。このようにして、遊技状態のランクが段階的に付与可能利益の大きいものへと昇格していく。なお、特殊遊技中に特定条件に該当しなかった場合には、所定の遊技回数の特殊遊技終了により通常遊技に戻る。特殊遊技中であって、設定された遊技ランクの最上級の遊技中に「特定条件」に該当したときには、変更抽選手段(122)は昇格抽選は行わない。
【００４９】
ところで、前記変更抽選手段(122)は、昇格に係る特殊遊技の実行回数を、抽選により決定可能に形成ことができる。また、昇格抽選により昇格が決定した特殊遊技の開始時期を、抽選により決定可能であってもよい。あるいは、決定している特殊遊技の実行回数について、上乗せ遊技を加算するための上乗せ抽選を実行可能としてもよいものである。
【００５０】
さらに、前記変更抽選手段(122)は、特殊遊技中に特定条件に該当した場合には、前記昇格抽選と同時に、その特殊遊技を当該遊技よりも付与可能利益の少ない遊技に降格させるか否かの降格抽選を実行可能に形成することができる。
【００５１】
（請求項７）
請求項７記載の発明は、次の点を特徴とする。
【００５２】
すなわち、請求項７記載の発明は、遊技機を、当選役に関する抽選を行うための当選抽選手段(110)、抽選の結果、所定の当選役に当選し、かつ、遊技状況が予め定められた態様になることにより入賞として扱うための入賞手段、通常遊技を行わせるための通常遊技制御手段(70)、通常遊技よりも遊技者に大きな利益を付与可能であり、遊技者に付与可能な利益の大きさが異なる複数種類の特殊遊技を行わせるための特殊遊技制御手段(120)、及び、通常遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を行う変更抽選手段(122)として機能させるための遊技機用プログラムを記録したコンピュータ読み取り可能な記録媒体である。
【００５３】
本発明は、請求項６記載の遊技機用プログラムを記録したコンピュータ読み取り可能な記録媒体に係る。
【００５４】
（作用）
本発明によれば、通常遊技中に、遊技状態が特定条件に該当した場合には、前記変更抽選手段(122)が昇格抽選を行う。昇格抽選に当選すると、所定の特殊遊技の実行が決定される。この特殊遊技は昇格当選を契機に開始されるものでもよいし、所定の遊技期間経過後に開始されるものでもよい。また、この特殊遊技の終了時期は、例えば「ｎゲーム」のように予め定められていてもよいし、ｎ値を抽選により決定するようにしてもよい。
【００５５】
特殊遊技実行中に、遊技状態が特定条件に該当した場合には、前記変更抽選手段(122)が昇格抽選を行う。昇格抽選に当選すると、実行中の特殊遊技よりも付与可能利益の大きい特殊遊技の実行が決定される。そして、この特殊遊技実行中に、遊技状態が特定条件に該当した場合にも、前記変更抽選手段(122)が昇格抽選を行う。昇格抽選に当選すると、実行中の特殊遊技よりもさらに付与可能利益の大きい特殊遊技の実行が決定される。このようにして、遊技状態のランクが段階的に付与可能利益の大きいものへと昇格していく。なお、特殊遊技中に特定条件に該当しなかった場合には、所定の遊技回数の特殊遊技終了により通常遊技に戻る。特殊遊技中であって、設定された遊技ランクの最上級の遊技中に「特定条件」に該当したときには、変更抽選手段(122)は昇格抽選は行わない。
【００５６】
ところで、前記変更抽選手段(122)は、昇格に係る特殊遊技の実行回数を、抽選により決定可能に形成ことができる。また、昇格抽選により昇格が決定した特殊遊技の開始時期を、抽選により決定可能であってもよい。あるいは、決定している特殊遊技の実行回数について、上乗せ遊技を加算するための上乗せ抽選を実行可能としてもよいものである。
【００５７】
さらに、前記変更抽選手段(122)は、特殊遊技中に特定条件に該当した場合には、前記昇格抽選と同時に、その特殊遊技を当該遊技よりも付与可能利益の少ない遊技に降格させるか否かの降格抽選を実行可能に形成することができる。
【発明の効果】
【００５８】
本願発明は、以下に記載されるような効果を奏する。
【００５９】
（請求項１）
請求項１記載の発明によれば、次のような効果を奏する。
【００６０】
すなわち、請求項１記載の発明によれば、遊技中の特定条件該当を契機として、遊技状態が徐々にグレードアップしていく遊技形態を作りだし、遊技がより多くの利益を付与する方向に「成長する」ような印象を遊技者に持たせ、遊技を興味溢れるものとすることができる。
【００６１】
（請求項２）
請求項２記載の発明によれば、上記した請求項１記載の発明の効果に加え、次のような効果を奏する。
【００６２】
すなわち、請求項２記載の発明によれば、特殊遊技の実行回数に多少を設け、遊技の意外性を高めることができる。
【００６３】
（請求項３又は４）
請求項３又は４記載の発明によれば、上記した請求項１又は２記載の発明の効果に加え、次のような効果を奏する。
【００６４】
すなわち、請求項３又は４記載の発明によれば、特殊遊技に付加価値を付与可能とすることにより、遊技者の期待感を高めることができる。
【００６５】
（請求項５）
請求項５記載の発明によれば、上記した請求項１乃至４のいずれか１項に記載の発明の効果に加え、次のような効果を奏する。
【００６６】
すなわち、請求項５記載の発明によれば、遊技状態が格下げされる場合を設けることにより、遊技に緊張感を持たせることができる。
【００６７】
（請求項６又は７）
請求項又は６又は７記載の発明によれば、次のような効果を奏する。
【００６８】
すなわち、請求項６又は７記載の発明によれば、前記請求項１乃至５記載の遊技機の効果を奏することができる遊技機用プログラム、又は当該遊技機用プログラムを記録したコンピュータ読み取り可能な記録媒体を提供することができる。
【発明を実施するための最良の形態】
【００６９】
本発明の実施の形態を、遊技機としてスロットマシンを例に、図面に基づき説明する。
【００７０】
（図面の説明）
図１乃至図７は、本発明の実施の形態を示すものである。
【００７１】
図１はスロットマシンの入力、制御及び出力のブロック図、図２はスロットマシンの外観正面図、図３及び図４はスロットマシンの動作の概略のフローを示す図である。また、図５乃至図７は特殊遊技制御手段の制御の概要を示すものである。
【００７２】
（スロットマシン10）
スロットマシン10は、図２に示すように、四角箱状の筐体11を有する。この筐体11には、遊技者側に向かって臨む表示窓12が形成されており、さらに表示窓12には、三個の回転リール40の図柄61を見ることができる図柄表示窓13が形成されている。そして、スロットマシン10の略中央端部には、メダル投入口14が設けられている。
【００７３】
スロットマシン10の内部には、図示していないが、スロットマシン10の全体の動作を制御するための制御装置20（図１参照）が内蔵されている。
【００７４】
（制御装置20）
上記制御装置20は、図示しないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、次の（１）及び（２）の装置を構成する。
【００７５】
（１）遊技制御装置21
（２）演出制御装置22
遊技制御装置21は、スタートスイッチ30及びストップスイッチ50の操作により、回転リール40の回転及び停止を制御するためのものであり、演出制御装置22は、ランプ68やスピーカ69等の表示装置66を制御するためのものである。この遊技制御装置21及び演出制御装置22の詳細については後述する。
【００７６】
なお、上記制御装置20を、主制御装置と、主制御装置からの諸信号を受信して作動する副制御装置とから構成し、前記遊技制御装置21を主制御装置に、演出制御装置22を副制御装置に配置するように形成しても良い。
【００７７】
（入力段）
上記制御装置20の入力段には、図１に示すように、次のパーツが接続されている。
【００７８】
（１）投入スイッチ15
（２）ベットスイッチ16
（３）精算スイッチ17
（４）スタートスイッチ30
（５）ストップスイッチ50
なお、入力段としては、上記した（１）乃至（５）のパーツに限定されるものではない。
【００７９】
（投入スイッチ15）
投入スイッチ15は、図２に示すように、メダル投入口14の下方に内蔵されたスイッチであって、投入された遊技メダルを検知するためのものである。
【００８０】
（ベットスイッチ16）
ベットスイッチ16は、図２に示すように、回転リール40の下方に位置するスイッチであって、貯留メダル数を減じてメダル投入に代えるためのものである。
【００８１】
（精算スイッチ17）
精算スイッチ17は、図２に示すように、回転リールの斜め下方に位置するスイッチであって、貯留した投入メダルを払い出すためのものである。
【００８２】
（スタートスイッチ30）
スタートスイッチ30は、図２に示すように、回転リール40の斜め下方に位置するレバーであって、遊技メダルの投入若しくはベットスイッチ16の投入を条件に、または、「再遊技（Replay）」時には前遊技から所定時間経過を条件に、リールユニット60の駆動を開始させるためのものである。
【００８３】
なお、ここで、「再遊技（Replay）」とは、当選抽選手段110の抽選により、「再遊技（Replay）」のフラグが成立し、「再遊技（Replay）」の図柄が入賞有効ライン上に揃うことにより、次の遊技において、遊技メダルを新たに投入することなく、再度、遊技を行うことができるものである。
【００８４】
（ストップスイッチ50）
ストップスイッチ50は、リールユニット60の駆動を停止させるためのものである。具体的には、ストップスイッチ50は、図２に示すように、各回転リール40に対応した三個のスイッチから構成され、各回転リール40の下方に１個ずつ配置されているものである。回転リール40に対応したストップスイッチ50の操作により、当該対応した回転リール40が回転を停止するように設定されているものである。
【００８５】
（出力段）
前記制御装置20の出力段には、図１に示すように、次のパーツが接続されている。
【００８６】
（１）リールユニット60
（２）ホッパーユニット65
（３）表示装置66（演出表示部67及びランプ68及びスピーカ69）
なお、出力段としては、上記した（１）乃至（３）のパーツに限定されるものではない。
【００８７】
（リールユニット60）
リールユニット60は、特に図示しないが枠体に固定或いは支持された三個のモータと、各々のモータの出力軸に固定された三個の回転リール40とから構成されている。そして、各回転リール40は、合成樹脂からなる回転ドラムと、この回転ドラムの周囲に貼付されるテープ状のリールテープ42とを備えている。このリールテープ42の外周面には、複数個（例えば２１個）の図柄61が表示されている。
【００８８】
（ホッパーユニット65）
ホッパーユニット65は、図示しないが、遊技の結果に基づいて、遊技者にメダルを払い出すためのものである。
【００８９】
（表示装置66）
表示装置66は、演出制御装置22の制御により、遊技者に入賞等を報知させるなど、種々の演出を行うものである。具体的には、表示装置66は、演出表示部67及びランプ68及びスピーカ69から構成されている。
【００９０】
演出表示部67は、回転リール40の上方に設けられた窓部であり、ＬＥＤ、ドットマトリックス、液晶画面等を用いて、入賞の報知その他の演出を表示するためのものである。なお、演出表示部67としては上記のものに限られず、例えば演出専用の回転リールを設け、リールの図柄や文字等により演出を表示するようにしても良い。
【００９１】
ランプ68及びスピーカ69は、発光体の点灯又は点滅、入賞音の発生により入賞等を報知するためのものである。
【００９２】
（遊技制御装置21）
次に、遊技制御装置21について詳述する。
【００９３】
遊技制御装置21は、スタートスイッチ30及びストップスイッチ50の操作により、回転リール40の回転及び停止を制御するためのものである。そして、この遊技制御装置21は、次の（１）乃至（４）の手段として機能する。
【００９４】
（１）通常遊技制御手段70
（２）特別遊技制御手段80
（３）特殊遊技制御手段120
（４）当選抽選手段110
なお、遊技制御装置21としては、上記した（１）乃至（４）の手段に限定されるものではなく、他の手段を含んでいても良い。
【００９５】
（通常遊技制御手段70）
通常遊技制御手段70は、通常遊技を行わせるためのものである。
【００９６】
すなわち、メダルの投入若しくはベットスイッチ16の投入を条件に、または、「再遊技（Replay）」時には前遊技から所定時間経過を条件に、スタートスイッチ30を操作すると、リールユニット60が駆動され、三個の回転リール40が回転を開始する。
【００９７】
その後、ストップスイッチ50の一個を操作すると、当該対応する回転リール40の回転が停止する。
【００９８】
そして、ストップスイッチ50を三個全て操作し終わると、三個の回転リール40の回転が全て停止する。このとき、表示窓12の入賞有効ライン上に、予め設定された図柄61が停止すると、ホッパーユニット65を介して所定枚数のメダルが払い出される。なお、メダルを払い出す代わりに、クレジットしても良い。
【００９９】
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」とを備えている。そして、その抽選結果がいずれかの役に当選となった場合、その当選に対応した当選フラグが成立する。そして、抽選結果が特別当選である場合に、特別当選フラグが成立し、この特別当選フラグ成立中に、リールユニット60の回転リール40の停止図柄61の組み合わせが、予め定められた所定の特別当選図柄61（例えば、入賞有効ライン上に「７」が三個揃うもの）と一致したことを条件に入賞し、遊技者に有利な特別遊技を行わせるように形成されている。一方、抽選により特別当選フラグが成立したが、回転リール40の停止図柄61の組み合わせが特別当選図柄61と一致していない場合には、それ以後の遊技に特別当選フラグ成立の権利が持ち越されるように設定されている。なお、小役の当選フラグは、当選フラグが成立した遊技で入賞させられない場合、当選フラグ成立の権利の次の遊技への持ち越しはない。
【０１００】
また、いずれかの当選フラグが成立中に、対応する当選図柄61を入賞有効ライン上に揃えることができるか否かは、回転リール40の回転速度が一定の場合、ストップスイッチ50のタイミングによるものである。すなわち、遊技制御装置20は、特に図示しないが、複数の停止テーブルを有していて、回転リール40の図柄61の現在位置を把握すると共に、ストップスイッチ50の押下タイミングに応じて所定の停止テーブルを選択可能に形成されている。
【０１０１】
ここで、停止テーブルとは、所定の図柄から何コマ回転させて回転リール40を停止させるかを、所定条件に応じ各図柄毎に規定したものである。具体的には、当選フラグが成立しているときには、その当選フラグに対応する図柄が入賞有効ライン上に揃いやすいように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
【０１０２】
なお、停止テーブルを、各図柄毎についてすべての位置でストップスイッチ50を操作した場合を想定して作成してもよいが、各図柄毎にすべての組み合わせを作らなければならないのでテーブル数が膨大になってしまう。そこで、停止テーブルに従って停止位置候補を決定し、候補の妥当性を判断しながら停止図柄を決定するようにしてもよい。この場合の停止制御は、当選図柄に対応したビットを、停止させるべき当選図柄と停止させてはいけない図柄とにわけてそれぞれ設け、ビットに記憶されているデータに基づいて、停止位置候補が妥当な場合にはその位置で停止させ、妥当でない場合には他の妥当な位置を決定して停止させるようにするものである。例えば、ストップスイッチ押下タイミングにより選択された停止テーブルによる停止位置候補が妥当でない場合には、当該図柄をその位置に停止させないよう回転リール40を余分に回転させる。
【０１０３】
（特別遊技制御手段80）
特別遊技制御手段80は、抽選手段の抽選結果に基づいて、通常遊技よりも遊技者に多くの利益を付与可能な有利遊技としての特別遊技を行わせるためのものである。
【０１０４】
上記特別遊技としては、大別すると、次のゲームがある。
【０１０５】
（１）特定導入遊技（ビッグボーナスゲーム、以下ＢＢゲームという）
（２）特定遊技（レギュラーボーナスゲーム、以下ＲＢゲームという）
（３）特定当選遊技（ＪＡＣゲーム）
なお、特別遊技としては、上記した（１）乃至（３）の遊技に限定されるものではない。
【０１０６】
ここで、上記特定遊技、例えばＲＢゲームは、特定導入遊技、例えばＢＢゲーム中に行われる場合と、ＢＢゲーム中で無いときにも単独で行われる場合がある。また、上記特定当選遊技、いわゆるＪＡＣゲームは、ＲＢゲーム中に行われるものである。
【０１０７】
特別遊技制御手段80は、図１に示すように、大別すると、次の手段を備える。
【０１０８】
（１）特定導入遊技制御手段90
（２）特定遊技制御手段100
（特定導入遊技制御手段90）
特定導入遊技制御手段90は、ＢＢゲームを制御するためのものである。
【０１０９】
具体的には、通常遊技において、図示しないが、例えば「７」等の図柄61が入賞有効ライン上に三個揃うと、ホッパーユニット65を介して、例えば１５枚のメダルが払い出される。このとき、ＢＢゲームが開始される。
【０１１０】
ＢＢゲームに移行すると、通常遊技と同様に最大３枚のメダルの投入によって開始され、３つの回転リールの回転を各々停止させた際に、入賞有効ライン上に当選図柄が揃っているか否かによって、メダルの払い出しが行われるものである。
【０１１１】
したがって、ＢＢゲーム中では、通常遊技と同様に小役を含めた抽選が毎回行われるものである。ただ、このＢＢゲーム中にＲＢゲームに移行するための特定当選図柄が入賞有効ライン上に揃った場合には、その後ＲＢゲームに移行するものである。
【０１１２】
なお、通常、ＢＢゲーム中はＲＢゲームへの移行が、例えば最大３回行われることになっているために、１回目のＲＢゲームが終了した後は、また前述したような通常遊技と同様な抽選及び制御が行われるものである。
【０１１３】
そして、ＢＢゲームでは、ＢＢゲーム中のＲＢゲームが所定の最大回数、例えば３回か、或いはＢＢゲーム中の通常遊技が所定の最大回数、例えば最大３０回の終了により、ＢＢゲームは終了するものである。
【０１１４】
（特定遊技制御手段100）
特定遊技制御手段100は、ＲＢゲームを制御するためのものである。
【０１１５】
具体的には、ＲＢゲームに移行すると、メダルが１枚投入となり、回転リール40の所定の図柄61が表示窓12のセンターライン上に揃った場合に入賞となる特定当選遊技が行われるものである。そして、ＲＢゲームでは、入賞するか否かの特定当選遊技が最大１２回行えるものであり、そのうち、最大８回の入賞が可能である。すなわち、最大８回の入賞するか、或いは最大１２回の特定当選遊技の終了により、ＲＢゲームは終了するものである。
【０１１６】
（特殊遊技制御手段120）
特殊遊技制御手段120は、特殊遊技を制御するためのものである。特殊遊技とは、特定の開始条件該当により開始される遊技であって、前記特別遊技以外の有利遊技である。具体的には、遊技中の特定条件該当を契機に行われる昇格抽選に当選することにより開始が決定され、所定の開始条件を満たすことにより開始される遊技であり、本実施の形態においては、同種の特殊遊技について、遊技者に付与可能な利益の大きさが違う複数の特殊遊技が設けられている。
【０１１７】
ここで、特殊遊技としては、例えば、以下のような遊技を設けることができる。
【０１１８】
（１）アシストタイム遊技
アシストタイム遊技とは、所定期間に亘り、所定の当選図柄について、所定の確率で当選の報知が行われる遊技である。
【０１１９】
具体的には、当選結果が例えば小役当選である場合に、当該当選図柄を演出表示部67に表示したり、ストップスイッチ50の押し順を知らせて、当選を報知するものである。遊技者は、報知された図柄61を目押しすることにより、あるいは報知されたとおりの押し順でストップスイッチ50を操作することにより、高い割合で入賞させることができ、獲得メダルを増やすことができる。
【０１２０】
アシストタイム遊技においては、報知確率、報知頻度、報知する当選役により、遊技者の獲得可能なメダル数が変わってくる。
【０１２１】
（２）リプレイタイム遊技
リプレイタイム遊技とは、所定期間に亘り、「再遊技」の当選確率が高く設定された遊技期間である。
【０１２２】
具体的には、リプレイタイム遊技中は、当選抽選手段110の当選判定テーブル113として、通常遊技中の当選判定テーブルよりも「再遊技」の抽選確率を高確率に設定した当選判定テーブルを使用して当選の抽選が行われるものである。このため、リプレイタイム中は、遊技者の手持ちの遊技メダルをほとんど減らすことなく遊技を行うことが可能となり、結果として獲得メダル増加につながるものである。
【０１２３】
リプレイタイム遊技においては、リプレイ当選確率の違いにより、遊技者の獲得可能なメダル数が変わってくる。
【０１２４】
（３）アシストリプレイタイム遊技
アシストリプレイタイム遊技とは、所定期間に亘り、「再遊技」の当選確率が高く設定されていると共に、所定の当選図柄について、所定の確率で当選の報知が行われる遊技である。すなわち、上記アシストタイム遊技とリプレイタイム遊技を混合させた遊技である。
【０１２５】
従って、アシストリプレイタイム遊技中は、「再遊技」に入賞すれば遊技者は手持ちの遊技メダルを投入せずに遊技を行うことが可能である一方、当選時には当選役の報知演出が行われるので入賞を狙いやすくなり、より獲得メダルを増やすことができることとなる。
【０１２６】
（４）高確率当選遊技
高確率当選遊技とは、所定期間に亘り、小役当選の当選確率が高く設定された遊技期間である。すなわち、ハズレの確率が低く設定された遊技期間である。
【０１２７】
高確率当選遊技中は、当選する回数が増えることで、入賞の可能性も高まり、メダル獲得につながるものである。
【０１２８】
高確率当選遊技においては、小役当選確率の違いにより、遊技者の獲得可能なメダル数が変わってくる。
【０１２９】
（５）ストック放出遊技
ストック放出遊技とは、所定の遊技区間、特別遊技、例えばＢＢが入賞し難い制御を行うことにより、複数のＢＢ当選の権利を貯留（ストック）可能にすることを前提に、所定条件該当を契機に、ＢＢが入賞しやすい制御に変更し、ストックされたＢＢを順次入賞可能とした遊技区間である。ストック放出遊技は、ストックされたＢＢが次々に入賞する可能性が高いので、メダル大量獲得が可能となる。
【０１３０】
ストック放出遊技においては、放出確率の違いにより、遊技者の獲得可能なメダル数が変わってくる。
【０１３１】
なお、特殊遊技としては、上記（１）乃至（５）の遊技に限定されるものではない。
【０１３２】
ところで、本実施の形態においては、この特殊遊技は、遊技者に付与可能な利益の大きさの異なる複数の遊技ランクに分けられている。すなわち、同種の特殊遊技について、遊技者が獲得メダルを増やせる可能性の大きさがそれぞれ異なる複数の遊技データが設けられている。この遊技ランクは、遊技者に付与可能な利益の大きさに応じて、例えば強中弱（高中低）のように三段階に分けてあり、付与可能な利益の大きいほどランクが高く設定してある。なお、遊技ランクの設定は上記した三段階に限らない。
【０１３３】
具体例を示すと、例えばアシストタイム遊技の場合、当選報知の発生率や、報知の確度、報知内容により、遊技者が獲得メダルを増やせる可能性が変わってくる。すなわち、報知回数が多いほど、あるいは報知の確度が高いほど、遊技者は入賞させやすくなり、払い出し枚数の多い役の当選を報知するほど、遊技者の獲得利益は増大する。従って、当選報知の発生率や、報知の確度、報知する当選役に応じて、遊技をランク分けすることができる。
【０１３４】
ここで、当選報知の発生率とは、所定回数の遊技中、当選報知が行われる割合を示すものであり、例えば弱アシストタイム遊技は６分の１、中アシストタイム遊技は２分の１、強アシストタイム遊技は１分の１とすることができる。また、報知の確度とは、報知の信頼度、すなわち虚偽の報知が行われない度合いのことであり、例えば弱アシストタイム遊技は虚偽の報知が８０％、中アシストタイム遊技は５０％、強アシストタイム遊技は０％、のように設定することができる。さらに、当選報知の発生率、確度は一定に設定し、弱アシストタイム遊技は５枚役、中アシストタイム遊技は１０枚役、強アシストタイム遊技は１５枚役の当選報知を行うように設定することもできる。
【０１３５】
さて、特殊遊技制御手段120は、図１に示すように、以下の手段を有している。
【０１３６】
（１）特定条件判定手段121
（２）変更抽選手段122
（３）遊技データ記憶手段123
以下、これらの手段について説明する。なお、特殊遊技制御手段120としては、上記以外の手段を有していてもかまわない。
【０１３７】
（特定条件判定手段121）
特定条件判定手段121は、遊技状態が変更抽選手段122の抽選契機となる特定の条件に該当しているか否かを判定するためのものである。ここで、特定条件としては、特定の当選、特定の入賞などが挙げられる。例えば、ＢＢ当選、特定の小役当選、特定の小役入賞などである。また、当選抽選の結果がハズレの場合を抽選契機としてもよい。この他、毎遊技ごとに昇格抽選等の抽選を行うか否かの抽選を行い、その結果が当選であるときを抽選契機としてもよい。
【０１３８】
（変更抽選手段122）
変更抽選手段122は、前記特定条件判定手段121の判定に基づいて、特殊遊技の開始、昇格、上乗せ等に関する抽選を行うためのものである。
【０１３９】
この変更抽選手段122の行う抽選には、昇格抽選、上乗せ抽選、移行抽選がある。そこで、これらの具体例を、通常遊技及び特殊遊技の昇格の概要を示した図６及び図７に基づいて以下に述べる。
【０１４０】
(1)昇格抽選
昇格抽選とは、遊技ランクを昇格させるか否かの抽選である。ここで、特殊遊技は通常遊技よりも遊技者に付与可能な利益が大きい有利遊技であるので、弱ランク特殊遊技は通常遊技よりもランクが上となるものであり、昇格には、特殊遊技間の昇格だけでなく、通常遊技から特殊遊技への昇格も含むものである。
【０１４１】
まず、図６に示すように、通常遊技中に前記特定条件判定手段121が特定条件該当と判定した場合には、通常遊技から弱ランク特殊遊技に昇格するか否かの抽選を行う。この昇格抽選に当選すると、所定回数、例えばＮゲームの弱ランク特殊遊技が開始される。この場合、Ｎ値は予め定められていてもよいし、昇格抽選時に抽選により決定してもよい（以下、Ｍ、Ｌについても同じ）。また、図示したように、昇格当選後すぐに（次ゲームから）弱ランク特殊遊技を開始してもよいし、所定回数の遊技終了後又は所定の遊技区間（例えばＢＢ）終了後に開始させてもよい。
【０１４２】
弱ランク特殊遊技中に前記特定条件判定手段121が特定条件該当と判定した場合には、弱ランク特殊遊技から中ランク特殊遊技に昇格するか否かの抽選を行う。この昇格抽選に当選すると、所定回数、例えばＭゲームの中ランク特殊遊技が開始される。同様に、中ランク特殊遊技中に前記特定条件判定手段121が特定条件該当と判定した場合には、中ランク特殊遊技から強ランク特殊遊技に昇格するか否かの抽選を行う。この昇格抽選に当選すると、所定回数、例えばＬゲームの強ランク特殊遊技が開始される。この場合、図６に示したように、実行中の弱ランク又は中ランク特殊遊技を中止して中ランク又は強ランク特殊遊技に移行するようにしてもよいし、弱ランク特殊遊技Ｎゲーム又は中ランク特殊遊技Ｍゲームの終了後に、中ランク特殊遊技Ｍゲー又は強ランク特殊遊技Ｌゲームを開始するようにしてもよい。なお、昇格抽選に当選しなかった場合には、そのまま弱ランク特殊遊技Ｎゲーム又は中ランク特殊遊技Ｍゲームが行われる。
【０１４３】
ここで、特殊遊技を昇格当選と同時に行わない場合には、例えば図７（Ａ）に示すように、ある特殊遊技（昇格当選１により決定した弱ランク１の特殊遊技）の開始前に、前記特定条件判定手段121が特定条件該当と判定し昇格抽選が行われることもある。この昇格抽選の結果が昇格当選（昇格当選２）となった場合には、次の特殊遊技（昇格当選２により決定した弱ランク２の特殊遊技）を、前記弱ランク１の特殊遊技の終了後に開始させることができる。あるいは、弱ランク２の特殊遊技を中ランクに昇格し、前記弱ランク１の特殊遊技の終了後に開始させてもよい。また、弱ランク１の特殊遊技中に昇格抽選が行われ昇格当選（昇格当選３）となったときには、当該弱ランク１の残りの遊技数を中ランクに昇格し、次に実行を約束されている弱ランク２の特殊遊技も中ランクに昇格させるようにしてもよい。
【０１４４】
さらに、ある特殊遊技の開始前に次の特殊遊技の実行が決定している場合であって、先の特殊遊技終了後、次の特殊遊技が開始されていない（潜伏している）ときに、前記特定条件判定手段121が特定条件該当と判定した場合には、潜伏している特殊遊技を昇格させるか否かの昇格抽選を行う。この昇格抽選に当選すると、潜伏中の特殊遊技は本来行われるはずの遊技ランクよりも一ランク上のランクで開始される（図７(Ｂ)参照）。未実行の特殊遊技が複数ある場合には、それら全てが昇格される。
【０１４５】
なお、強ランク特殊遊技中に前記特定条件判定手段121が特定条件該当と判定した場合には、それ以上昇格できないので、昇格抽選は行わない。この場合、昇格抽選の代わりに、以下に述べる上乗せ抽選を行うことにより、遊技者に何らかの特典を付与するようにすることができる（図６参照）。
【０１４６】
(2)上乗せ抽選
上乗せ抽選とは、予め定められている、又は一度決定した特殊遊技の回数を、所定回数増やすか否かの抽選である。上乗せ回数は予め定められていてもよいし、上乗せ回数も抽選により決定するようにしてもよい。
【０１４７】
具体的には、図７(Ｂ)に示すように、所定ランクの特殊遊技（弱ランク２）が潜伏しているときに、前記特定条件判定手段121が特定条件該当と判定した場合に、未実行の特殊遊技について、遊技回数を上乗せするかどうかの抽選を行う。この上乗せ抽選は、昇格抽選とは別個に行うので、昇格抽選に外れても、上乗せ抽選に当選すれば、遊技ランクの昇格なしに所定回数、例えばＰ回分ゲームが上乗せされる。昇格抽選に当選し、上乗せ抽選にも当選した場合には、遊技ランクが昇格した上、Ｐ回分ゲームの上乗せ遊技も実行される。
【０１４８】
なお、未実行の特殊遊技が複数ある場合には、それら全てに遊技の上乗せがされる。
【０１４９】
(3)移行抽選
移行抽選とは、昇格抽選の抽選結果が「昇格当選」となり昇格が決定した特殊遊技を、いつ開始させるかの抽選である。これは、昇格当選に係る特殊遊技の開始時期が予め定められていない場合のみ行われる抽選である。
【０１５０】
例えば、所定ランク特殊遊技が昇格当選した場合、当選後所定回数の遊技終了後に開始させるようにし、その開始までの遊技数を抽選により決定するものである。
【０１５１】
このように、特殊遊技は、遊技中に行われる昇格抽選により、段階的に高いランクに移行可能に形成されているので、遊技者には、特殊遊技が成長していくイメージを与えることができるものである。この遊技パーターンを効果的に演出するために、遊技ランク表示手段140が設けられているが、これについては後述する。
【０１５２】
（遊技データ記憶手段123）
遊技データ記憶手段123は、前記変更抽選手段122の抽選結果に基づいて、実行されるべき特殊遊技の実行遊技データ、すなわち遊技ランク、遊技回数、開始時期などを記憶し、記憶している実行遊技データに基づいて特殊遊技を行わせるためのものである。
【０１５３】
具体的には、遊技データ記憶手段123は、通常遊技中における変更抽選手段122の抽選結果が「昇格当選」の場合には弱ランク、弱ランク特殊遊技中における変更抽選手段122の抽選結果が「昇格当選」の場合には中ランク、中ランク特殊遊技中における変更抽選手段122の抽選結果が「昇格当選」の場合には強ランクの遊技データを、それぞれ選択し記憶するように形成されている。さらに、変更抽選手段122の抽選結果に応じた開始時期、遊技回数等も記憶し、所定の開始条件に該当したら、当該実行遊技データに応じた特殊遊技を開始させる。なお、実行遊技データは、特殊遊技の実行前又は実行中における昇格抽選で当選となり、ランク、遊技回数等が変更された場合には、新しいデータに書き換えられる。そして、記憶された遊技データに係る特殊遊技が終了したら、当該遊技データはクリアされる。
【０１５４】
また、遊技データ記憶手段123は、複数の特殊遊技についての実行遊技データを記憶可能である。すなわち、ある特殊遊技の実行前に昇格抽選が行われ、昇格当選となった場合には、先の昇格当選に係る特殊遊技と、次の昇格当選に係る特殊遊技の双方の実行遊技データを別個に記憶可能である。
【０１５５】
（当選抽選手段110）
当選抽選手段110は、予め定めた抽選確率に基づいて当選役に係わる抽選を行うものである。そして、当選抽選手段110による抽選の結果、所定の当選役に当選である場合に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
【０１５６】
上記当選抽選手段110は、図１に示すように、大別すると、次の手段を備える。
【０１５７】
（１）乱数発生手段111
（２）乱数抽出手段112
（３）当選判定テーブル113
（４）判定手段114
なお、当選抽選手段110としては、上記した（１）乃至（４）に限定されるものではない。
【０１５８】
（乱数発生手段111）
乱数発生手段111は、当選抽選用の乱数を所定の領域内（例えば十進数で０〜６５５３５）で発生させるものである。
【０１５９】
（乱数抽出手段112）
乱数抽出手段112は、乱数発生手段111が発生する乱数を、所定の条件（例えば、スタートスイッチ30の操作）で抽出するものである。なお、この抽出した乱数を抽出乱数データとする。
【０１６０】
なおここで、「乱数発生手段」としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。そして、「乱数抽出手段」としては、スタートスイッチを押したタイミングでカウンタの数字を読みとることなる。
【０１６１】
このように形成すると、「乱数発生手段」では乱数を発生しているわけではないものの、「乱数抽出手段」によって抽出される数字は、あたかも乱数のような分布となる。このように、結果として乱数のような分布を示す数字が得られる手段を、ここでは「乱数発生手段」あるいは「乱数抽出手段」に含めて考えるものとする。
【０１６２】
（当選判定テーブル113）
当選判定テーブル113は、乱数発生手段111がとる乱数の全領域中、各当選項目の当選領域を有するものである。
【０１６３】
（判定手段114）
判定手段114は、乱数抽出手段112が抽出した抽出乱数データと、当選判定テーブル113の抽選確率データを基に、乱数発生手段111がとる乱数の全領域中の各当選項目の当選領域からなる当選判定領域データとを照合し、当該抽出乱数データが属する当選領域に対応する当選を決定するものである。
【０１６４】
（演出制御装置22）
演出制御装置22は、遊技制御装置21からの出力信号を受信して、遊技に付随する演出やその他の演出を行わせるためのものである。そして、演出制御装置22は、図１に示すように、当選報知手段130及び遊技ランク表示手段140を有している。
【０１６５】
（当選報知手段130）
当選報知手段130は、所定の確率で当選確定告知の報知を行わせるためのものである。すなわち、当選報知手段130は、当選抽選手段110の抽選結果が所定の当選役に当選の場合には、遊技制御装置21からの当選信号を受信して、当選であることを表示装置66を用いて遊技者に報知するものである。ただし、この報知は必ず行わせるものとは限らず、例えば、報知を行うか否かの抽選結果基づいて行わせるものとすることができ、また、虚偽の報知を行わせることもできる。
【０１６６】
なお、特殊遊技のうちアシストタイム遊技は、この当選報知手段130の制御により行われる。すなわち、特殊遊技制御手段120からの出力信号、具体的には、特殊遊技開始要請信号を受信して、遊技データ記憶手段123の記憶している遊技データら対応する回数、ランクの当選報知を行わせるものである。
【０１６７】
（遊技ランク表示手段140）
遊技ランク表示手段140は、特殊遊技の遊技ランクを遊技者に報知するためのものである。すなわち、昇格抽選により遊技が昇格したことを遊技者に知らせることができるものであり、特に図示しないが、特殊遊技の各ランクに応じた演出データを記憶していると共に、特殊遊技制御手段120からの出力信号、具体的には、昇格当選信号を受信して、当該遊技ランクに対応する演出データを選択して、演出表示部67などに出力する。
【０１６８】
この遊技ランク表示演出の具体例としては、特殊遊技が昇格するのにあわせて、液晶表示画面に表示されるストーリーが展開していくようなものが考えられる。例えば、ＲＰＧ形式で敵を倒すと昇格するとか、植物や動物が昇格にあわせて成長する設定などとすることができる。
【０１６９】
（スロットマシン10の動作）
次に、上記構成を備えたスロットマシンの動作の概略について、図３及び図４に示したフローを用いて説明する。
【０１７０】
先ず、図３に示すステップ１００において、スタートスイッチ30が操作されることにより、スタートスイッチ30がＯＮとなる。そして、次のステップ１０１に進む。
【０１７１】
ステップ１０１において、当選抽選手段110により抽選処理が行われる。そして、次のステップ１０２に進む。
【０１７２】
ステップ１０２において、回転リール40の回転が開始する。そして、次のステップ１０３に進む。
【０１７３】
ステップ１０３において、ストップスイッチ50が操作されることにより、ストップスイッチ50がＯＮとなる。そして、次のステップ１０４に進む。
【０１７４】
ステップ１０４において、回転リール40の回転停止処理が行われる。そして、次のステップ１０５に進む。
【０１７５】
ステップ１０５において、三個の回転リール40に対応するストップスイッチ50の操作が行われたか否かが判定される。そして、三個の回転リール40に対応するストップスイッチ50の操作が行われたと判定された場合、次のステップ１０６に進む。
【０１７６】
ステップ１０６において、当選フラグ成立中に当該当選フラグに対応する当選図柄が入賞有効ライン上に揃ったか否か、すなわち、入賞したか否かが判定される。そして、入賞したと判定された場合、次のステップ１０７に進む。
【０１７７】
ステップ１０７において、当選図柄に相当するメダルが払い出される。そして、遊技が終了する。
【０１７８】
前記ステップ１０５において、三個の回転リール40に対応するストップスイッチ50の操作が行われていないと判定された場合、ステップ１０３に戻る。
【０１７９】
前記ステップ１０６において、入賞していないと判定された場合、ステップ１０７を飛び越して、遊技が終了する。
【０１８０】
上述したステップ１０１の抽選処理について、図４のフローを用いて説明する。
【０１８１】
ステップ２００において、当選抽選手段110の乱数発生手段111により発生された乱数の中から乱数抽出手段112により乱数が抽出される。そして、次のステップ２０１に進む。
【０１８２】
ステップ２０１において、抽出された乱数が乱数抽出手段112の内部に記憶される。そして、次のステップ２０２に進む。
【０１８３】
ステップ２０２において、判定手段114により、抽出された乱数と、当選判定テーブル113の当選判定領域データとの比較が行われる。そして、次のステップ２０３に進む。
【０１８４】
ステップ２０３において、判定手段114により、抽出された乱数が、当選判定テーブル113のどの当選領域に含まれるか決定され、抽選処理の評価が決定される。そして、抽選処理が終了する。
【０１８５】
なお、抽選結果が所定の当選の場合には、当選フラグ成立手段120が抽選結果に応じた当選フラグを成立させる。そして、停止制御手段130がストップスイッチ50の押下位置と当選フラグの有無に基づいて、所定の停止テーブルを取得し、所得した停止テーブルに基づいて、回転リール40の停止制御を行う。
【０１８６】
（特殊遊技の昇格抽選）
次に、特殊遊技制御手段120の制御について、図５のフローを用いて説明する。
【０１８７】
まず、ステップ３００において、特殊遊技の開始条件に該当しているかどうかを判断する。具体的には、昇格抽選に当選しており、かつ所定の特殊遊技開始条件（例えば、昇格当選後所定遊技区間の終了、実行中の所定遊技区間の終了など）に該当しているかどうかを判断する。特殊遊技の開始条件に該当すると判断した場合には、次のステップ３０１に進む。
【０１８８】
ステップ３０１において、遊技データ記憶手段123の記憶している実行遊技データに基づいて、特殊遊技を開始する。そして、次のステップ３０２に進む。
【０１８９】
前記ステップ３００において、特殊遊技の開始条件に該当しないと判断した場合には、ステップ３０１を飛び越して、ステップステップ３０２に進む。
【０１９０】
ステップ３０２において、昇格抽選を行うための特定条件に該当するかどうかを判断する。特定条件に該当しないと判断した場合には、次のステップ３０３に進む。
【０１９１】
ステップ３０３において、実行中の特殊遊技が終了したかどうかを判断する。実行中の特殊遊技が終了しない場合、あるいは特殊遊技の実行中でない場合には、ステップステップ３００に戻る。一方、実行中の特殊遊技が終了した場合には、次のステップ３０４に進む。
【０１９２】
ステップ３０４において、遊技データ記憶手段123に記憶されている、終了した特殊遊技に係る実行遊技データをクリアする。そしてステップ３００に戻る。
【０１９３】
前記ステップ３０２において、特定条件に該当すると判断した場合には、ステップ３０５に進む。
【０１９４】
ステップ３０５において、特定条件に該当したのが特殊遊技の潜伏中かどうかを判断する。すなわち、前回終了した特殊遊技の開始前に実行が決定している特殊遊技であって、未実行の特殊遊技が存在するかどうかを判断する。特殊遊技が潜伏中でないと判断した場合には、次のステップ３０６に進む。
【０１９５】
ステップ３０６において、現在の遊技ランクが最高ランクの特殊遊技中、すなわち強ランク特殊遊技中であるかどうかを判断する。最高ランクの特殊遊技中でない場合、つまり通常遊技中もしくは弱ランク特殊遊技中又は中ランク特殊遊技中の場合には、次のステップ３０７に進む。
【０１９６】
ステップ３０７において、変更抽選手段122が昇格抽選及び上乗せ抽選を行う。すなわち、通常遊技中の場合には弱ランク特殊遊技に昇格するか否か、弱ランク特殊遊技中又は中ランク特殊遊技中の場合には、中ランク特殊遊技中又は強ランク特殊遊技にそれぞれ昇格するか否かの抽選と、上乗せ遊技を行わせるか否かの抽選を行う。なおこのとき、各特殊遊技の遊技回数や昇格した特殊遊技をいつ開始するかの移行抽選を行ってもよい。そして、ステップ３１０に進む。
【０１９７】
前記ステップ３０５において、特殊遊技が潜伏中と判断した場合には、ステップ３０８に進む。
【０１９８】
ステップ３０８において、昇格抽選及び上乗せ抽選を行う。すなわち、潜伏中の特殊遊技を昇格させるか否か、及び上乗せ遊技を行わせるか否かの抽選を行う。このとき、上乗せ回数の抽選を行ってもよい。そして、ステップ３１０に進む。
【０１９９】
前記ステップ３０６において、現在の遊技ランクが最高ランクの特殊遊技中であると判断した場合には、ステップ３０９に進む。
【０２００】
ステップ３０９において、上乗せ抽選を行う。すなわち、現在行われている最高ランクの特殊遊技に上乗せ遊技を付け足すか否かの抽選を行う。そして、次のステップ３１０に進む。
【０２０１】
ステップ３１０において、変更抽選手段122の抽選の結果、遊技ランクや遊技回数が変更になったかどうかを判断する。遊技ランクや遊技回数が変更された場合、すなわち昇格抽選又は上乗せ抽選のいずれかもしくは双方に当選した場合には、次のステップ３１１に進む。
【０２０２】
ステップス３１１において、遊技データ記憶手段123に記憶されている実行遊技データを、抽選結果に対応したものに書き換える。実行遊技データがクリアされている場合には、新たに書き込む。このとき、遊技ランクが昇格したことを報知する演出を行う。そして、特殊遊技の昇格抽選処理を終了する。
【０２０３】
前記ステップ３１０において、変更抽選手段122の抽選の結果、遊技ランクや遊技回数が変更がない場合、すなわち昇格抽選にも上乗せ抽選にも当選しなかった場合には、そのまま特殊遊技の昇格抽選処理を終了する。
【０２０４】
以上のように、本実施の形態によれば、遊技中の特定条件該当を契機に、遊技状態を段階的にランクアップさせていくことにより、どこまでアップさせることができるかという遊技に対する挑戦心を喚起することができ、さらに遊技が「成長する」というランクアップに対応した演出を行うことにより、より遊技者の興味をひくものとすることができる。
【０２０５】
なお、上記の制御によれば、上乗せ抽選は特殊遊技の潜伏中又は強ランク特殊遊技中の場合のみ行われるようになっているが、それ以外の時、すなわち通常遊技中もしくは弱ランク特殊遊技中又は中ランク特殊遊技中における昇格抽選時にも、昇格に係る特殊遊技に上乗せ遊技を付加するか否かの抽選を行ってもよい。
【０２０６】
（他の実施の形態）
上記した実施の形態は、遊技中の特定条件該当により、遊技ランクが徐々に昇格していくように形成したものであったが、遊技ランクが降格される場合を設けてもよいものである。
【０２０７】
具体的には、変更抽選手段122に、遊技ランクを降格させるか否かの降格抽選を行わせ、抽選結果が降格当選の場合には、実行中の特殊遊技を付与可能な利益の少ない特殊遊技へと降格させるものである。なお、降格には、特殊遊技間の降格だけでなく、特殊遊技から通常遊技への降格も含む。だたし、通常遊技中は、降格抽選は行わない。降格抽選の契機は、昇格抽選と同時であってもよいし、降格抽選の契機とは別に降格抽選の契機を設け、その条件該当時に降格抽選を行うようにしてもよい。
【０２０８】
遊技ランクの降格は、例えば強ランク特殊遊技中に降格当選したら中ランク特殊遊技に移行させるというように、段階的に降格させるものでもよいし、強ランクから弱ランクに降格する場合を設けてもよい。あるいは、通常遊技に降格される場合を設けてもよい。
【０２０９】
このように、遊技ランクの降格を設けることにより、遊技者が緊張感を持って遊技を行える。ただし、せっかく通常遊技から特殊遊技に昇格したのに、すぐに降格して通常遊技に戻ってしまうのでは遊技者の興趣を削ぐので、降格は強ランク特殊遊技においてのみ行うようにしたり、降格当選となる確率を極めて低くするなどの配慮をするのが好ましい。
【０２１０】
ところで、このスロットマシン10は、遊技機を、当選役に関する抽選を行うための当選抽選手段110、抽選の結果、所定の当選役に当選し、かつ、遊技状況が予め定められた態様になることにより入賞として扱うための入賞手段、通常遊技を行わせるための通常遊技制御手段70、通常遊技よりも遊技者に大きな利益を付与可能であり、遊技者に付与可能な利益の大きさが異なる複数種類の特殊遊技を行わせるための特殊遊技制御手段120、及び、通常遊技中の特定条件該当により、通常遊技から特殊遊技に昇格させるか否かの昇格抽選を行い、特殊遊技中の特定条件該当により、その特殊遊技からさらに大きな利益を付与可能な特殊遊技に昇格させるか否かの昇格抽選を行う変更抽選手段122として機能させるための遊技機用プログラムによって制御することができる。
【０２１１】
さらに、前記遊技用プログラムを記憶したコンピュータ読み取り可能な記憶媒体を用いて制御することができる。
【０２１２】
前記入賞手段としては、前記遊技機用プログラムを用いてスロットマシンを制御する場合には、ホッパーユニット65を介して遊技者にメダルを払い出すように形成することができる。一方、前記遊技機用プログラムを用いて、業務用若しくは家庭用のテレビゲーム機を制御しようとする場合には、現実の遊技メダルの払い出しは行えないので、例えば液晶ディスプレイやＣＲＴ等の画像表示装置に、獲得メダル数の枚数表示をしたり、メダルの増減がわかるような絵（動画でも静止画でもよい）を表示するように形成することができる。
【図面の簡単な説明】
【０２１３】
【図１】本発明の実施の形態であって、スロットマシンの入力、制御及び出力を示すブロック図である。
【図２】本発明の実施の形態であって、スロットマシンを示す外観正面図である。
【図３】本発明の実施の形態であって、スロットマシンの動作の概略を示すフローである。
【図４】本発明の実施の形態であって、スロットマシンの動作のうち、抽選処理の概略を示すフローである。
【図５】本発明の実施の形態であって、特殊遊技制御手段の作動の概略を示すフローである。
【図６】本発明の実施の形態であって、特殊遊技の昇格の概要を示す図である。
【図７】本発明の実施の形態であって、特殊遊技の昇格の概要を示す図である。
【符号の説明】
【０２１４】
10  スロットマシン                  11  筺体
12  表示窓                          13  図柄表示窓
15  投入スイッチ                    16  ベットスイッチ
17  精算スイッチ                    20  制御装置
21  遊技制御装置                    22  演出制御装置
30  スタートスイッチ                40  回転リール
42  リールテープ                    50  ストップスイッチ
60  リールユニット                  65  ホッパーユニット
66  表示装置                        67  演出表示部
68  ランプ                          69  スピーカ
70  通常遊技制御手段                80  特別遊技制御手段
90  特定導入遊技制御手段           100  特定遊技制御手段
110  当選抽選手段                   111  乱数発生手段
112  乱数抽出手段                   113  当選判定テーブル
114  判定手段
120  特殊遊技制御手段               121  特定条件判定手段
122  変更抽選手段                   123  遊技データ記憶手段
130  当選報知手段                   140  遊技ランク表示手段
【図１】
2005065862.tif 000003
【図２】
2005065862.tif 000004
【図３】
2005065862.tif 000005
【図４】
2005065862.tif 000006
【図５】
2005065862.tif 000007
【図６】
2005065862.tif 000008
【図７】
2005065862.tif 000009